(57)【要約】      （修正有）【課題】埃等の侵入を防止する手段を有することにより、光素子の信頼性を高く維持することのできるコネクタ装置を提供する。【解決手段】コネクタ装置は、光ファイバーケーブルの光素子を保護するための保護部材を含み、保護部材は、光素子を閉塞するためのシャッタ部材とシャッタ部材に協働する弾性部材とを含み、シャッタ部材は光素子を閉塞するシャッタ部４２１を有し、弾性部材は、挿入空間７に突出する押圧部４１３１，４１３２，４１３３と、シャッタ部に当接する延出部４１５と、を含み、相手コネクタが挿入空間に挿入される場合に、押圧部４１３１，４１３２，４１３３は、相手コネクタが押圧されることにより弾性的な変形を生じ、挿入空間から退出され、シャッタ部材が、光素子が前記挿入空間に露出されるように弾性部材に追従して挿入空間から退出される。【選択図】図４
2010256906.tif 000002
【特許請求の範囲】
【請求項１】
光ファイバーケーブルを保持する絶縁本体と、前記絶縁本体に装着される複数の導電端子と、前記絶縁本体を包囲する金属製のシェルと、を含むコネクタ装置において、
前記絶縁本体と前記シェルとは、相手コネクタが挿入される挿入空間を構成し、前記絶縁本体には、前記挿入空間へ突出する舌片が設けられ、
前記光ファイバーケーブルは、前記挿入空間に露出される光素子を有して、前記光素子が前記絶縁本体の前記舌片の一側に配置され、
前記コネクタ装置は、前記光ファイバーケーブルの前記光素子を保護するための保護部材を含み、前記保護部材は、前記光素子を閉塞するためのシャッタ部材と、前記シャッタ部材に協働する弾性部材と、を含み、
前記シャッタ部材は、前記光素子を閉塞するシャッタ部を有し、
前記弾性部材は、前記挿入空間に突出する押圧部と、前記シャッタ部に当接する延出部とを含み、
前記相手コネクタが前記挿入空間内に挿入される場合に、前記押圧部は、前記相手コネクタが押圧されることにより弾性的な変形を生じ、前記挿入空間から退出され、前記シャッタ部材が、前記光素子が前記挿入空間に露出されるように前記弾性部材に追従して前記挿入空間から退出されることを特徴とするコネクタ装置。
【請求項２】
前記押圧部は、前記挿入空間に収容され、且つ水平方向に対して斜めに延出する傾斜部を含むことを特徴とする請求項１に記載のコネクタ装置。
【請求項３】
前記弾性部材は、前記傾斜部から前記挿入空間の外部まで延出する制限部を含み、該制限部によって下向きの移動が制限されることを特徴とする請求項２に記載のコネクタ装置。
【請求項４】
前記制限部は、前記傾斜部の一端から屈曲して延出するように形成されることを特徴とする請求項３に記載のコネクタ装置。
【請求項５】
前記絶縁本体には、前記挿入空間の下方で補強部が設けられ、前記補強部には先端面と上表面とを貫通する溝が形成され、前記制限部が前記溝の底壁に当接していることを特徴とする請求項３に記載のコネクタ装置。
【請求項６】
前記補強部には、前記挿入空間に連通する受入溝が形成され、前記傾斜部は、前記相手コネクタに押圧されて、前記受入溝に収容されることを特徴とする請求項５に記載のコネクタ装置。
【請求項７】
前記光素子が前記舌片の下方に位置され、前記シャッタ部材が挿入空間の奥側に配置され、
相手コネクタが挿入してない場合に、前記シャッタ部材が、前記相手コネクタの挿入方向に対して直交する方向において、前記光素子の先端に位置されて前記光素子を閉塞し、
前記相手コネクタが挿入した場合に、前記シャッタ部材が、前記相手コネクタの挿入方向に対して直交する方向に沿って下向きに移動し、前記光素子を前記挿入空間に露出させることを特徴とする請求項１に記載のコネクタ装置。
【請求項８】
前記シャッタ部材は、前記シャッタ部の両端で第一固定ポスト及び第二固定ポストを含み、
前記弾性部材は、前記第一固定ポスト及び前記第二固定ポストにそれぞれ保持される第一屈曲部と第二屈曲部とを含み、
前記押圧部が前記第一屈曲部と前記第二屈曲部とからそれぞれ延出する第一押圧部と第二押圧部とを含み、前記第一押圧部と前記第二押圧部とが前記挿入空間内に収容され、前記相手コネクタが押圧することができることを特徴とする請求項１に記載のコネクタ装置。
【請求項９】
前記延出部は、前記第一屈曲部と前記第二屈曲部とを連接し、且つ前記シャッタ部材のシャッタ部に当接する圧接部を有することを特徴とする請求項８に記載のコネクタ装置。
【発明の詳細な説明】
【技術分野】
【０００１】
本発明は、信号を高速に伝送できるコネクタ装置に関し、特に、光電伝送共用のコネクタ装置に関する。
【背景技術】
【０００２】
特許文献１を参照すると、従来のコネクタ装置は、相手コネクタを嵌合する挿入空間を有する絶縁本体と、前記絶縁本体に装着された複数の導電端子と、絶縁本体に保持された光ファイバーケーブルとを含み、絶縁本体には、前記挿入空間に突出する舌片が設けられ、該舌片の底部には、複数の収容溝が形成され、前記導電端子は、収容溝に収容され、且つ弾性変形可能な接触部を備える。前記光ファイバーケーブルは、前記舌片の下方に位置し、挿入空間に露出される光素子を含む。
【先行技術文献】
【特許文献】
【０００３】
【特許文献１】中国特許出願公開第１０１３４５３５８号明細書
【発明の概要】
【発明が解決しようとする課題】
【０００４】
しかしながら、光ファイバーケーブルは前記挿入空間に露出しているので、相手コネクタが挿入されていない場合に、埃等が入り込むと、挿入空間に露出されている光素子が汚れる可能性があり、それによって、光伝達効率が低下し、所定の光信号伝達ができなくなる恐れがある。したがって、新たなコネクタ装置を開発することが必要である。
【０００５】
本発明は、係る点に鑑みてなされたものであり、光素子の信頼性を高く維持することのできるコネクタ装置を提供して、より具体的には、埃等の侵入を防止する手段を有するコネクタ装置を提供することを目的とする。
【課題を解決するための手段】
【０００６】
本発明のコネクタ装置は、光ファイバーケーブルを保持する絶縁本体と、前記絶縁本体に装着される複数の導電端子と、前記絶縁本体を包囲する金属製のシェルと、を含むコネクタ装置において、前記絶縁本体と前記シェルとは、相手コネクタが挿入される挿入空間を構成し、前記絶縁本体には、前記挿入空間へ突出する舌片が設けられ、前記光ファイバーケーブルは、前記挿入空間に露出される光素子を有して、前記光素子が前記絶縁本体の前記舌片の一側に配置され、前記コネクタ装置は、前記光ファイバーケーブルの前記光素子を保護するための保護部材を含み、前記保護部材は、前記光素子を閉塞するためのシャッタ部材と、前記シャッタ部材に協働する弾性部材と、を含み、前記シャッタ部材は、前記光素子を閉塞するシャッタ部を有し、
前記弾性部材は、前記挿入空間に突出する押圧部と、前記シャッタ部に当接する延出部と、を含み、前記相手コネクタが前記挿入空間内に挿入される場合に、前記押圧部は、前記相手コネクタが押圧されることにより弾性的な変形を生じ、前記挿入空間から退出され、前記シャッタ部材が、前記光素子が前記挿入空間に露出されるように前記弾性部材に追従して前記挿入空間から退出されることを特徴とする。
【発明の効果】
【０００７】
従来技術に比べて、本発明は以下の利点を有する。本願発明のコネクタ装置は、光素子を略閉塞するシャッタ部材が配置されることにより、コネクタ装置内への埃等の侵入を制限することができ、光素子の汚れ等を防止することができ、それによって光素子の信頼性を高く維持することができる。
【図面の簡単な説明】
【０００８】
【図１】本発明に係るコネクタ装置の組立斜視図である。
【図２】図１に示すコネクタ装置の部分分解図である。
【図３】本発明に係るコネクタ装置の分解図である。
【図４】図１に示すコネクタ装置に相手コネクタを挿入しない場合のＡ−Ａ線に沿った断面図である。
【図５】図１に示すコネクタ装置に相手コネクタを挿入した場合のＡ−Ａ線に沿った断面図である。
【図６】本発明に係るコネクタ装置の保護部材と光ファイバーケーブルとの組立斜視図である。
【図７】本発明に係るコネクタ装置の保護部材と光ファイバーケーブルと導電端子の組立斜視図である。
【発明を実施するための形態】
【０００９】
以下、本発明についての実施形態を詳細に説明する。以下の説明において、後方は相手コネクタの挿入方向であり、前方は相手コネクタの離脱方向である。
【００１０】
図１乃至図４を参照すると、本発明の実施状態について説明している。本願発明のコネクタ装置１００は、絶縁本体１と、絶縁本体１に装着される複数の導電端子２と、絶縁本体１に保持される複数の光伝送用の光ファイバーケーブル３と、光ファイバーケーブル３を保護するための保護部材４と、絶縁本体１を包囲する金属板からなるシェル５と、絶縁本体１の後端を覆ってシェル５に係合するためのカバー６とを含み、前記シェル５と前記絶縁本体１とは、相手コネクタが挿入される挿入空間７を構成している。
【００１１】
絶縁本体１は、挿入空間７の後端に位置する基部１０と、基部１０の先端面１０１の上下側からそれぞれ延出する舌片１１及び補強部１２とを含み、補強部１２に先端面１０２から後向きに延出する第一溝１０３、第二溝１０４がそれぞれ設けられる。補強部１２の基部１０に隣接する箇所には、前記第一溝１０３及び前記第二溝１０４にそれぞれ連通する取付溝１０５と、取付溝１０５の下方での受入溝１０６と、が設けられ、前記受入溝１０６が補強部１２を貫通するように形成される。舌片１１は、前記挿入空間７に突出し、下壁には、導電端子２を挿入する複数の端子溝１１１が並設される。
【００１２】
前記導電端子２は、基部１０に保持される固定部２１と、固定部２１から前向きに延出する接触部２２と、固定部２１から後向きに延出する半田部２３とを含み、接触部２２が舌片１１から突出して、端子溝１１１内で弾性的な変形を生じる。
【００１３】
光ファイバーケーブル３は、本体部３１と、本体部３１から前向きに延出する延出部３２と、本体部３１から後向きに延出する半田片３３とを含む。延出部３２の先端部には、挿入空間７に露出される光素子３４と、挿入空間７に突出している一対の位置決め部３５とが設けられ、前記位置決め部３５が光素子３４の両側にそれぞれ配置され、相手コネクタの位置決め孔に係合することにより相手コネクタを挿入空間７に保持して、光ファイバーケーブル３が絶縁本体１に保持される場合に、光素子３４が舌片１１の一側に配置される。勿論、他の実施状態において、光素子がコネクタ装置の要求に基づいて舌片の他の側に配置されてもよい。
【００１４】
前記保護部材４は、弾性部材４１と、弾性部材４１に協働するシャッタ部材４２とを含む。前記弾性部材４１は、一対に形成された第一屈曲部４１１及び第二屈曲部４１２と、第一屈曲部４１１と第二屈曲部４１２との一端からそれぞれ前向きに延出する第一押圧部４１３及び第二押圧部４１４と、第一屈曲部４１１及び第二屈曲部４１２の他端から後向きに延出する延出部４１５と、を含む。
【００１５】
前記延出部４１５は、Ｕ字形状を呈するようにシャッタ部材４２に押圧できる。前記第一押圧部４１３は、前記第一屈曲部４１１から前向きに延出する第一水平部４１３１と、第一水平部４１３１から上向きに直交するように延出する第一垂直部４１３２と、第一垂直部４１３２から水平方向に対して斜め下向きに延出する第一傾斜部４１３３とを含む。前記第二押圧部４１４の構造が第一押圧部４１３と完全に同一の構成であり、第一押圧部４１３と同様に、第二水平部４１４１、第二垂直部４１４２、及び第二傾斜部４１４３を含む。
【００１６】
前記第一傾斜部４１３３及び前記第二傾斜部４１４３は、同じ高さを有して挿入空間７へ突出して、これによって、挿入される相手コネクタを案内できると共に、相手コネクタを支持するとの効果を奏している。また、前記延出部４１５には、シャッタ部材４２に当接するための圧接部４１５１が設けられ、圧接部４１５１が相手コネクタの挿入方向に対して直交するように配置される。
【００１７】
前記弾性部材４１において、前記第一傾斜部４１３３及び第二傾斜部４１４３の先端から後向きに曲折している第一制限部４１６及び第二制限部４１７がそれぞれ形成される。前記第一制限部４１６と第二制限部４１７とは、第一水平部４１３１及び第二水平部４１４１の下方に平行に配置される。前記第一制限部４１６及び第二制限部４１７は、挿入空間７内へ突出するように、前記第一溝１０３及び前記第二溝１０４内にそれぞれ収容され、さらに、第一制限部４１６及び第二制限部４１７は、絶縁本体１の第一溝１０３と第二溝１０４との底壁にそれぞれ当接することによって下向きの移動が制限される。
【００１８】
前記シャッタ部材４２は、平板状のシャッタ部４２１と、シャッタ部４２１の一側の両端に形成された第一固定ポスト４２２及び第二固定ポスト４２３と、が設けられる。
【００１９】
組み合わせた際に、前記弾性部材４１の第一屈曲部４１１と第二屈曲部４１２とが前記第一固定ポスト４２２及び第二固定ポスト４２３にそれぞれ保持され、また、第一屈曲部４１１及び第二屈曲部４１２と、第一固定ポスト４２２及び第二固定ポスト４２３とは、前記取付溝１０５内に収容して制限される。第一制限部４１６及び第二制限部４１７が第一溝１０３及び第二溝１０４内に収容されて、絶縁本体１を押圧することにより、圧接部４１５１をシャッタ部４２１の表面４２１１に押圧させている。シャッタ部４２１が相手コネクタの挿入方向に直交する方向に光素子３４を略閉塞するように配置され、埃等の侵入を防止でき、光素子が汚れること等を防止できる。
【００２０】
シェル５は、舌片１１を包囲する天板５１と、底板５２と、両側板５３、５４とを含み、前記底板５２の後端に凹部５２１が凹んで形成される。前記天板５１と、底板５２と、側板５３、５４とには、挿入空間７に突出する弾性片５５がそれぞれ設けられ、該弾性片５５により相手コネクタを保持する。
【００２１】
図４及び図５を参照すると、第一傾斜部４１３３及び第二傾斜部４１４３により、相手コネクタが挿入空間７内に案内されて挿入されるとともに、第一傾斜部４１３３及び第二傾斜部４１４３は、相手コネクタに押圧されて、弾性部材４１を下方へ弾性的に変形させている。最後に、第一傾斜部４１３３及び第二傾斜部４１４３と、第一垂直部４１３２及び第二垂直部４１４２とが前記受入溝１０６内に完全に収容され、同時に、前記シャッタ部材４２が弾性部材４１に追従して下方へ移動し、挿入空間７から退出されることによって光素子３４を露出させる。前記受入溝１０６が補強部１２を下向きに貫通するので、弾性部材４１の変形空間を提供できる。
【００２２】
以上本発明について最良の実施の形態を参照して詳細に説明したが、実施形態はあくまでも例示的なものであり、これらに限定されない。また上述の説明は、本発明に基づきなしうる細部の修正或は変更など、いずれも本発明の請求範囲に属するものとする。
【符号の説明】
【００２３】
１  絶縁本体
２  導電端子
３  光ファイバーケーブル
４  保護部材
５  シェル
６  カバー
７  挿入空間
１１  舌片
１２  補強部
１０３  第一溝
１０４  第二溝
１０５  取付溝
１０６  受入溝
４１  弾性部材
４２  シャッタ部材
４２１  シャッタ部
４２２  第一固定ポスト
４２３  第二固定ポスト
【図１】
2010256906.tif 000003
【図２】
2010256906.tif 000004
【図３】
2010256906.tif 000005
【図４】
2010256906.tif 000006
【図５】
2010256906.tif 000007
【図６】
2010256906.tif 000008
【図７】
2010256906.tif 000009